Podtech/llm-jp-corpus-v4-ja_patent huggingface dataset:
(57)【要約】【課題】  前方上方向の視野を広くすることを意図として、体姿勢を変えることなく視線により、視認したい方向の景色、状態を視認することできるグラス。また、使用意図に応じて、三角柱状プリズムのプリズムジオプターの適正を考えて、三角柱状プリズムレンズをアダプターとして、着脱交換して使用できるグラスである。【解決手段】  三角柱状プリズムをグラスレンズとして使用する。【選択図】図１
2011242736.tif 000002
【特許請求の範囲】
【請求項１】
前方上方向の視野を広くすることを意図として、三角柱状プリズムの稜角を３度より２５度までの領域内の角度に設定した三角柱状プリズムをグラスレンズに使用したプリズムグラス。
【請求項２】
前方上方向の視野を広くすることを意図として、三角柱状プリズムの稜角を３度より２５度までの領域内の角度に設定した三角柱状プリズムをアダプターとして、その使用意図に応じて、プリズムジオプターの適正度を考慮して、着脱交換をして使用できるようにしたグラス。
【発明の詳細な説明】
【技術の分野】
【０００１】  眼鏡及びグラス等に関する技術の分野に属する。
【背景の技術】
【０００２】  三角柱状プリズムを使用しての技術でできているものには、プリズム眼鏡がある。この眼鏡は、人体の目の眼位の異常、すなわち、斜位や輻湊異常に対して、対症用に用いられている。
【先行技術文献】
【特許文献】
【０００３】
【特許文献】
【非特許文献】
【０００４】
【非特許文献】
【発明の概要】
【発明が解決しようとする課題】
【０００５】  体姿勢を変えることなく視線により前方上方向の視野を広く視認する。また、使用意図に応じて、適正度を考慮して着脱交換できるアダプターをもって使用意図に対応できることである。
【課題を解決するための手段】
【０００６】  グラスのレンズを三角柱状プリズムレンズとする。また、グラスに着脱交換できるアダプターを三角柱状プリズムレンズとしてグラスにセッテングしてプリズムグラスとして使用する。
【発明の効果】
【０００７】  この技術でつくられた構造のグラスを使用しての効果は、（１）スピードスケート競技時においては、進行方向前方の情景の確認を走行姿勢の体形を変えることなく、視線を変えることで、その情景を視認できる。（２）自転車走行の場合においても（１）に記した効果がある。（３）教室内の学習時においては、ノートにペンを走らせながらの姿勢のまま、視線を変えるだけで黒板に記された文字を視認でき、書き取り筆記の能率の向上ができる。
【図面の簡単な説明】
【０００８】
【図１】  三角柱状プリズムグラスの断面図。
【図２】  三角柱状プリズムレンズアダプター付プリズムグラスの断面図。
【図３】  三角柱状プリズムの断面図。
【発明を実施するための形態】
【０００９】  三角柱状プリズムの光の屈折を応用したグラスである。
眼鏡及びグラス等のレンズを三角柱状プリズムにすることにより、前方上方向の視野を広くする。また、三角柱状プリズムをグラスにアダプターとして、その使用意図の応じてプリズムジオプターの適正度を考慮して着脱交換をして、使用者の意図する視野の情景を視認する。グラスのレンズを三角柱状プリズムレンズにしたグラスを使用する時においても使用者の意図する視野の情景を視認する場合は、その使用意図に応じてプリズムジオプターの適正度を考慮したプリズムグラスを使用する。
プリズムグラス及びプリズムグラスアダプターに使用する三角柱状プリズムレンズの稜角は３度より２５度までの領域内の角度に設定してプリズムグラスレンズとする。
三角柱状プリズムグラスレンズを使用してのレンズ効果の視像については、プリズムグラスの使用角度の調整で対応する。これについては、眼鏡フレームの『ヨロイ（智）』部分にプリズムグラス使用角度の調整機構を設けて対応する。
遠視者及び近視者の使用に関しては、収差に配慮して、遠視用及び近視用の貼り付けできるレンズで対応する。
【符号の説明】
【００１０】  １、  三角柱状プリズムグラスレンズ。
２、  三角柱状プリズムグラスレンズアダプター。
３、  グラス本体。
４、  プリズムの稜角。
【図１】
2011242736.tif 000003
【図２】
2011242736.tif 000004
【図３】
2011242736.tif 000005
(57)【要約】【課題】店を開店するときには両面看板の向きを変えて準備中の表示から営業中の表示に切替え、閉店時にはまた看板の向きを変えて準備中の表示にしなければならない。また、定休日には別の看板で表示するか、その看板の上に定休日用の看板を重ねて表示するしか方法はなかった。  本発明は、一台で３種類の表示を簡単に切り変えることができる看板を提供する。【解決手段】３台の三角柱の形をした看板表示台を横にして、２本の看板支柱の間に縦１列に並べる。各看板台にそれぞれ３面の表示面を設け、その３面に表示したい内容を１種類ずつの表示し、看板台を回転させることにより表示面も回転して、３種類の表示が１台で瞬時にできるようにした。【選択図】図１
2011242738.tif 000002
【特許請求の範囲】
【請求項１】
三角柱形の看板台３台にそれぞれ三面の看板表示面を設け、各看板台の両サイドの中心部に主軸を貫通させて看板台の一端の支軸に歯車を一体として設け、３台の看板台を横にして２本の看板支柱の内側の主軸受けに縦１列に並べて設け、３台の看板台の看板表示面が歯車とベルトにより連結して揃うようにセットして、歯車とベルトを最下部の看板台の一端に設けてある表示切替え用のハンドルを回転させることにより、各看板台を同時に３分の１ずつ回転させて各看板表示面の表示を順次切替えるようにした、１台の看板で３種類の表示が可能な装置を設けた回転式３面表示看板。
【発明の詳細な説明】
【技術分野】
【０００１】  本発明は、１台で３種類の表示が出来る３面表示看板に関するものである。
【背景技術】
【０００２】  従来の案内看板の表示面は表裏の２面しかなく、表示内容も２種類しか表示できなかった。従って３種類目の表示がしたいときは、もう１枚の看板を用意するか、既存の看板の上にもう１枚の看板を重ねて表示するしかなかった。
【発明の概要】
【発明が解決しようとする課題】
【０００３】  従来、店舗前に表示する案内看板は表裏の２面しか表示できず、３種類目を表示したいときにはもう一枚新たに看板を用意するか、既存の看板の上に重ねて表示していた。
本発明は、以上の問題点を解決するためになされたものである。
【課題を解決するための手段】
【０００４】  三角柱形の看板台３台にそれぞれ三面の看板表示面を設け、各看板台の両サイドの中心部に主軸を貫通させて看板台の一端の支軸に歯車を一体として設け、３台の看板台を横にして２本の看板支柱の内側の主軸受けに縦１列に並べて設置する。
３台の看板台の各看板表示面が歯車とベルトにより連結されて揃うようにセットして、歯車とベルトを最下部の看板台の一端に設けてある表示切替え用のハンドルを回転させることにより、各看板台を同時に３分の１ずつ回転させて各看板表示面の表示内容を順次切り替えるようにした、１台の看板で３種類の表示が可能な装置を設ける。
以上の構成よりなる回転式３面表示看板。
【発明の効果】
【０００５】  従来、商店などの開店前や閉店後の多忙な時間に重労働で煩わしい作業だった看板の表示面を切替える作業が、ハンドルを回すだけで簡単に且つスピーディに行えるようになった。
本発明は、看板本体を背中合わせに組むことにより、両面用看板としても使用できる利点がある。
【図面の簡単な説明】
【０００６】
【図１】本発明の正面拡大図
【図２】本発明の使用例説明図１
【図３】本発明の使用例説明図２
【図４】本発明の使用例説明図３
【図５】本発明の側面拡大図
【図６】本発明の正面１部拡大図
【図７】本発明の側面透視図
【図８】本発明の使用状態を示す側面半透視図
【発明を実施するための形態】
【０００７】以下、本発明の実施の形態を説明する。
（イ）各看板台（６）の両サイドの中心部に支軸（４）を貫通させ、各看板台の一端に看板台を回転させるための歯車（２）を支軸（４）に一体として設ける。
（ロ）２本の看板支柱（７）の内側に支軸受け（５）を設け、支軸（４）を持って各看板台（６）を縦１列に並べて設ける。
（ハ）各看板台（６）の一端に設けられた各歯車（２）をベルト（３）で同時に看板台を回転できるように連結する。
（ニ）最下段の看板台（６）の支軸（４）の一端に表示面を回転するためのハンドル（１）を設ける。
（ホ）各看板台（６）には、看板表示面１（８）、看板表示面２（９）、看板表示面３（１０）の３面を設ける。
本発明は以上のような構造である。
本発明を使用するときは、各看板台（６）の看板表示面１（８）、看板表示面２（９）看板表示面３（１０）に、例えば看板表示面１（８）に営業中、看板表示面２（９）に準備中、看板表示面３（１０）に定休日などと３種類の異なった表示をする。
最下段の看板台（６）の一端に設けられたハンドル（１）を使用し、連結された歯車（２）とベルト（３）の働きにより、各看板台（６）を同時に回転させる。
各看板台が３面で構成されているので、３分の１ずつ回転させることにより、看板表示面１（８）、看板表示面２（９）、看板表示面３（１０）が順次切り替わる。
各看板表示面が簡単に切り替わることにより、複数の看板を用意しなくても、１台の看板で３種類の異なった案内を表示することが可能である。
【符号の説明】
【０００８】（１）ハンドル、（２）歯車、（３）ベルト、（４）主軸、（５）支軸受け、
（６）看板台、（７）看板支柱、（８）看板表示面１、（９）看板表示面２、
（１０）看板表示面３、（１１）本体カバー
【図１】
2011242738.tif 000003
【図２】
2011242738.tif 000004
【図３】
2011242738.tif 000005
【図４】
2011242738.tif 000006
【図５】
2011242738.tif 000007
【図６】
2011242738.tif 000008
【図７】
2011242738.tif 000009
【図８】
2011242738.tif 000010
(57)【要約】【課題】プログラム、データ等が盗難や漏洩などにより外部のコンピュータで不正に利用されないように、ＯＳを追加装置により互換性を無くし、他のコンピュータＯＳとは違った内部構造を持たせる【解決手段】通常のコンピュータＯＳの内部構造を変換システムにより変更し、内部構造を互換性の無いものにする。これにより通常の機器への入出力操作では変換後のＯＳからデータのコピー等は利用できなくなる。従来のＯＳおよび周辺機器を非互換性のある入出力で利用できるように中間変換回路を設置し、必要に応じて非互換性のある入出力に従来の互換性のある入出力装置を相互利用できるようにする。データ変換を判断し、また自動変換であっても変換の履歴を残すためのデータ変換判断回路を持つ。【選択図】図１
2011134286.tif 000002
【特許請求の範囲】
【請求項１】
従来互換性のあるＯＳからあえて互換性のない内部構造をそれぞれの利用者毎に異なる形で構成するシステム。
【請求項２】
非互換性の入出力と互換性のある入出力を条件により使い分けるシステム。
【請求項３】
従来のＯＳおよび周辺機器を非互換性のある入出力で利用できるように中間変換回路を設けるシステム。
【発明の詳細な説明】
【技術分野】
【０００１】本発明は、ＯＳの互換性を追加装置により、互換性を無くし、他のコンピュータＯＳとは違った内部構造を持たせる装置に関する。
【背景技術】
【０００２】現在のコンピュータＯＳは互換性がないと、プログラム、周辺装置、データのやり取り等の重要な部分で問題が発生するため、互換性を維持することが求められている。そのため、互換性があることを最低限の条件としたコンピュータＯＳがほぼ寡占状況にあると言える。【０００３】しかし、互換性があるために外部では利用されたくないプログラム、データ等が盗難や漏洩などにより、外部のコンピュータで不正に利用出来てしまう。
【発明の概要】
【発明が解決しようとする課題】
【０００４】プログラム、データ等が盗難や漏洩などにより外部のコンピュータで利用できないようにする。
【課題を解決するための手段】
【０００５】従来互換性のあるＯＳからあえて互換性のない内部構造をそれぞれの利用者毎に異なる形で構成する。【０００６】非互換性の入出力と互換性のある入出力を条件により使い分ける。【０００７】従来のＯＳおよび周辺機器を非互換性のある入出力で利用できるように中間変換回路を設ける。
【発明の効果】
【０００８】従来、互換性を前提として作成されたプログラム、データ等がこの装置を利用することにより、盗難や漏洩などにあっても外部のコンピュータで利用できないようになる。
【図面の簡単な説明】
【０００９】
【図１】非互換性を実現するシステムを示した図。
【発明を実施するための形態】
【００１０】通常のコンピュータＯＳの入出力は互換性を保たれている。これを新たに構築した入出力回路によって、互換性のない入出力を行う。
【００１１】従来のＯＳおよび周辺機器を非互換性の入出力で利用できるように中間変換回路を設置し、必要に応じて非互換性の入出力に従来の互換性のある入出力装置を相互利用できるようにする。
【実施例１】
【００１２】機密性の高いデータを利用するグループ企業の場合、データの輸送などにおいて、暗号化や独自性のある媒体の利用などが従来の方法では必然となるが、この特許を利用したシステム構成の場合、何らデータの機密性を考えることなく、そのままでデータの機密性が保たれ、データの輸送におけるコストを削減できる。【００１３】コンピュータウイルスが、互換性の有るＯＳを前提に作られているため、コンピュータウイルスに感染することのないシステムが構築できる。【００１４】システムを破棄する場合、従来は、利用したデータやプログラムを完全に消去することが求められるが、この特許を利用したシステムの場合、互換性が無いため、データやプログラムは意味を持たないことにより、完全に消去するという作業が不要になる。
【産業上の利用可能性】
【００１５】ライセンス管理が不要なシステムの開発。互換性がないことで、利用限度をプログラムに機能として取り込む必要がなく、明確にシステムの利用を確認することができる。
不当な権利侵害が起こる心配がない。【００１６】簡易なネットワークの構築。互換性のないネットワークとなるため、外部との接続を制限するフィやーウォール等の外部からの侵入阻止システムを導入する必要がない。
【符号の説明】
【００１７】１      非互換性を実現したＯＳ
１０    ＯＳ格納内部構造
１０１  ＯＳ内部構造の互換性を損なう回路
１１    ＯＳファンクション
１２    互換性のあるＩ／Ｏと互換性の無いＩ／Ｏを切り替える回路
１３１  互換性のあるＩ／Ｏ
１３２  互換性の無いＩ／Ｏ
２      中間変換回路
３１    非互換性を実現したＯＳ
３２    互換性のあるＯＳ
３３    互換性のある周辺機器
【図１】
2011134286.tif 000003
(57)【要約】      （修正有）【課題】火力発電所、焼却炉及び自動車の排ガスに含まれるＣＯ２，ＮＯｘ及びＳＯｘの大気中への放出量を削減する装置を提供する。【解決手段】吸入口２と排出口５を備えた筒状の装置３内に、アミン系化合物をコーティングしたビーズ状物を充填し、煙突の排気口、自動車の排気口、道路脇及び隧道など、排ガス発生源付近に前記吸入口を設置し、前記装置内に排ガスを吸入することにより、排ガス中のＣＯ２，ＮＯｘ及びＳＯｘが前記アミン系化合物に吸収され、清浄化された空気が前記排出口から大気中に放出される装置。【選択図】図１
2011078892.tif 000002
【特許請求の範囲】
【請求項１】
大気中に排出される排ガス中のCO2やNOx、SOｘ及び排出された大気中のCO2、NOｘ、SOｘを除去する装置
【発明の詳細な説明】
【技術分野】
【０００１】
本発明は、排ガス中や大気中のCO2及び光化学スモッグの原因物質であるNOx、SOxを除去する装置として有効である。
本装置は火力発電所の煙突、焼却炉、自動車に設置可能である。本装置の吸入口を煙突の排気口や自動車の排気口近くに設置すれば効果的である。また、道路脇、隧道にも設置出来、効力を発揮できる。
【先行技術文献】
【特許文献】
【０００２】
なし
【非特許文献】
【０００３】
なし
【発明の概要】
【発明が解決しようとする課題】
【０００４】
火力発電所、焼却炉、自動車から出る排ガス中にはCO2やNOx、SOxが含まれている。地球温暖化の原因物質の一つと言われるCO2の大気中への放出量の削減、光化学スモッグの原因物質と言われるNOx、SOxの大気中への放出量を削減することが課題である。
【課題を解決するための手段】
【０００５】
本発明は、吸入口と排出口を備えた筒状のもので、途中に吸入装置を備えている。また、吸入口と吸入装置の間にガス吸着装置を備えている。ガス吸着装置中  にはビーズ状の詰め物がある。この詰め物はアミン系化合物でコーティングしてある。吸入された排ガス中のCO2やNOx、SOｘはアミン系化合物に吸収される。排出口から出る空気はこれらの不純物を含まないものになっている。ガス吸着装置内が液体であったならば吸入されるガスの量はわずかである。
ガス吸着装置内の詰め物がビーズ状であれば吸入された排ガスは容易に中を通ることが出来、排ガスの処理量は液体に比べ格段に多くなる。
CO2やNOx、SOｘを吸着したアミン系化合物のコーティング剤はカリウム溶液で溶離させることが出来る。溶離液にはアミンの窒素とカリウムを含むので植物栽培の肥料として用いることが出来る。大気中に放出するようなことはない。
【発明の効果】
【０００６】
本発明は、地球温暖化の原因と言われるCO2や光化学スモッグの原因物質と言われるNOx、SOxの大気中への放出量を減らすことが出来る。また、すでに大気中にあるこれらの物を減らすことも出来る有効な効果を発揮できる。  
【産業上の利用可能性】
【０００７】
火力発電所、焼却炉、自動車から放出される排ガスは多い。その中にCO2、NOｘ、SOxが含まれている。これが大気汚染の原因となっている。この量を減らすことが出来れば地球温暖化をいくらかでも防ぐことが出来る。また、光化学物質によって害を受けている人を助けることが出来る。これらは、私たちが生活していくのにとても大事なことです。
【図面の簡単な説明】
【０００８】
【図１】本装置を煙突に取り付けた状態
【符号の説明】
【０００９】
１  煙突
２  本装置の吸入口
３  ガス吸着装置
４  吸入装置
５  排気口
【図１】
2011078892.tif 000003
(57)【要約】【課題】カーテンフックは、長期間使用すると形状が変形してカーテンを傷付けたり、開閉時の引っ掛かりの原因となっていた。そこでカーテンにかかる力をバネで軽減するとともに、カーテンフックの一端を固定する事により変形を防止する。【解決手段】カーテンフックにバネ構造（１）を設け、さらにカーテンフックの先端を曲げることによりロック構造（２）を作成する。ロック構造（２）をバネ構造（１）に差し込み、固定する事で変形を防止する。【選択図】図１
2011078709.tif 000002
【特許請求の範囲】
【請求項１】
カーテンフック（１）の部分をバネ構造にして、カーテン開閉時にかかる力を軽減し、カーテンの損傷を防止すること。
【請求項２】
カーテンフック（２）の部分をロック構造にする事でカーテンフックの変形を防止して、カーテンに与える損傷を防ぎ、またスムーズにカーテンの開閉も行えるようにすること。
【請求項３】
カーテンフック（１）の部分と（２）を組み合わせることにより、ロックや解除が簡単におこなえ、カーテンの取付や取り外しも従来品と同様に行えること。
【発明の詳細な説明】
【技術分野】
【０００１】
本発明は、カーテンフックに関するものである。
【背景技術】
【０００２】
従来、金属製のカーテンフックは長年使用していると形が崩れ、開閉時にカーテンに引っかかり傷つけてしまう事があった。
【０００３】
また、カーテン開閉時の引っ張る力により、カーテンフックを取り付ける為の縫い合わせ部分には強い力がかかり、ほつれや、破れの原因になっていた。
【発明の概要】
【発明が解決しようとする課題】
【０００４】
解決しようとする問題点は、カーテンフックの変形防止と、カーテンの損傷を防止する点である。
【課題を解決するための手段】
【０００５】
本発明は、従来のカーテンフック形状にバネ構造（１）を付加し、カーテン開閉時カーテンにかかる力を軽減する事、またカーテンフックの変形防止を行う為のロック構造（２）を設ける事で、カーテンの損傷を防止する事を主要な特徴とする。
【発明の効果】
【０００６】
本発明のカーテンフックは、従来品と同じく一本の針金から作成できる構造で、取り付け方法や取付器具も同じである。
バネ構造（１）によりカーテンの開閉時にかかる力を軽減し、カーテンの縫い合わせ部分がほつれてしまうのを防ぐ。また、ロック構造（２）によりカーテンフックの変形を無くし、カーテンの損傷を防止する事が出来る。
【図面の簡単な説明】
【０００７】
【図１】図１はカーテンフックの側面図を示したものである。
【図２】図２はカーテンフックの側面図と正面図を示したものである。
【図３】図３はカーテンフックのロック方法を示した説明図である。
【図４】図４はカーテンフックの取付方法を示した説明図である。
【発明を実施するための形態】
【０００８】
カーテンフック（１）の部分をバネ構造にする。ロック構造（２）の先端を曲げた部分をバネ構造（１）に差し込む事でカーテンフックを固定する。本発明は、以上のような構造であり、ロック構造（２）を解除すれば従来品と同様、簡単に取り外す事も出来る。
【符号の説明】
【０００９】
１  バネ構造
２  ロック構造
３  カーテン
４  窓
５  カーテンレール
６  カーテンフック
【図１】
2011078709.tif 000003
【図２】
2011078709.tif 000004
【図３】
2011078709.tif 000005
【図４】
2011078709.tif 000006
(57)【要約】【課題】就寝中に肩を保温する方法として、布団で肩を完全に覆うとすると、首の位置まで布団をもってくるしかなく、布団の重みでとても息苦しく感じる。また、寝ている最中に体が動くことで、布団が肩から外れてしまい肩を冷やすことになる。  しかし、衣服を着て肩を保温した場合、衣服の厚みで肩の辺りがゴワゴワして寝苦しい。  本発明は、以上の問題点を解決する枕カバーを提供する。【解決手段】枕を覆う枕カバーの両端に、それぞれ腕部を取り付ける。【選択図】図１
2011078721.tif 000002
【特許請求の範囲】
【請求項１】
枕（８）を覆う枕カバー（２）の両端に、それぞれ腕部（３）を取り付ける。
【発明の詳細な説明】
【技術分野】
【０００１】  本発明は、寝ている時に肩を保温してくれる枕カバーに関するものである。
【背景技術】
【０００２】  従来、寝ている時に肩を冷やさないためには、肩全体を覆うように布団を被せるか、服を着込むなどをしていた。【０００３】  なお、羽毛のベストを着ることで、肩を保温する商品が知られている（非特許文献１参照）。【０００４】  また、本願発明に関する公知技術として次の非特許文献１の物件もある。
【先行技術文献】
【０００５】
【特許文献１】特許公開２００４−３２９８４１
【非特許文献１】羽毛ベスト
【発明の概要】
【発明が解決しようとする課題】
【０００６】  布団で肩を完全に覆うとすると、首の位置まで布団をもってくるしかなく、布団の重みでとても息苦しく感じる。また、寝ている最中に体が動くことで、布団が肩から外れてしまい肩を冷やすことになる。【０００７】  衣服を着て肩を保温した場合、衣服の厚みで肩の辺りがゴワゴワして寝苦しい。
本発明は、以上の問題点を解決するためになされたものである。
【課題を解決するための手段】
【０００８】  枕を覆う枕カバーの両端に、それぞれ腕部を取り付ける。以上の構成よりなる枕カバー。
【発明の効果】
【０００９】  肩のみを完全に覆い保温するため、首に布団の重みがかからず息苦しくない。
また、肩を包み込むように覆っているため、寝相で体が動いても肩から外れにくい。【００１０】  体のお腹側のみ覆い背中には触れないため、衣服によるゴワゴワ感がなく寝苦しくない。【００１１】  枕カバーに動物やキャラクターなどの装飾をすることで、ぬいぐるみのような愛らしさができ、後ろから抱きしめられていることで癒しを感じることができる。【００１２】  このように本発明は、癒しの効果を持ちながら、寝る際に不快感なく肩を保温できる。
【図面の簡単な説明】
【００１３】
【図１】本発明の平面図
【図２】本発明の枕カバーと腕部を外した状態の平面図
【図３】図１のＡ−Ａでの断面図
【図４】本発明の側面図
【図５】本発明の使用状態を示す平面図
【図６】ぬいぐるみのように装飾した本発明の平面図
【発明を実施するための形態】
【００１４】  以下、本発明の実施の形態を説明する。
【００１５】（イ）枕（８）を覆う枕カバー（２）の左右の両端に接着部（枕カバー）（６）を設ける。
【００１６】（ロ）腕部（３）の腕部の付け根（４）を幅広とし、手部（５）に向かい幅を狭くする。
【００１７】（ハ）腕部（３）の腕部の付け根（４）に接着部（腕部）（７）を設ける。
【００１８】（ニ）接着部（枕カバー）（６）と接着部（腕部）（７）はそれぞれ対になっており、着脱を可能とする。
【００１９】（ホ）枕カバー（２）の両端の接着部（枕カバー）（６）に、接着部（腕部）（７）をそれぞれ取り付ける。
【００２０】（ヘ）枕カバー（２）と腕部（５）は布製である。
【００２１】（ト）枕カバー（２）を動物の顔のように装飾し、腕付枕カバー（１）をぬいぐるみのようにすることもできる（図６参照）。
【００２２】  本発明は以上のような構造である。
【００２３】  本発明を使用するときは、枕カバー（２）に枕（８）を入れ、その上に仰向けになった状態で頭を置く。
枕カバー（２）の両端に取り付けている腕部（３）の手部（５）を胸の辺りで交差させる。このとき腕部（３）が肩を包み込むようにする。
【符号の説明】
【００２４】（１）腕付枕カバー、（２）枕カバー、（３）腕部、（４）腕部の付け根、（５）手部、（６）接着部（枕カバー）、（７）接着部（腕部）、（８）枕、（９）人間
【図１】
2011078721.tif 000003
【図２】
2011078721.tif 000004
【図３】
2011078721.tif 000005
【図４】
2011078721.tif 000006
【図５】
2011078721.tif 000007
【図６】
2011078721.tif 000008
(57)【要約】【課題】登山の時、特に下りの時、体重が足にかかり、特につま先と甲が痛くなる。厚手の靴下や中敷きなどで対処してもさほどの効果が得られない。本発明は登山の際の足の痛みを軽減するために、登山靴用補助具を提供します。【解決手段】足の甲に合わせた弓形状に形成した本体には弾力性を持たせ、本体先端付近に複数の紐通し部を設け、後端にはひも固定部を設け、登山靴のベロの上に靴紐で装着して使用する、登山靴用補助具です。【選択図】図２
2011078723.tif 000002
【特許請求の範囲】
【請求項１】
足の甲に合わせて弓形状に形成した本体に弾力性を持たせ、本体の先端付近に複数の紐通し部を設け、後端にひも固定部を設けたことを特徴とする登山靴用補助具です。
【発明の詳細な説明】
【技術分野】
【０００１】本発明は、登山の時登山靴や運動靴に取り付け、つま先と甲が痛くなるのを軽減する、登山靴用補助具に関するものである。
【背景技術】
【０００２】既存の登山靴に、厚手の靴下や、中敷きなどで足や、足のつま先、足の甲、を保護しながら、登山をしている。
【発明の概要】
【発明が解決しょうとする課題】
【０００３】登山の時、今までの登山靴では、ゆっくりとした登下山の時でも、体重がつま先と甲に集中し、つま先と甲を圧迫します、又長時間の山行では足がむくみ、靴紐がきつくなる、これらの原因などで足全体、特につま先と甲が痛なる、厚手の靴下や中敷きを用いても、足のつま先の痛みにはあまり効果が見られない、そのため痛みを我慢をして登山を続けていた。
本発明は、以上の問題点を解決するためのものである。
【課題を解決するための手段】
【０００４】足の甲に合わせて弓形状に形成した本体に弾力持たせ、本体先端付近に複数の靴紐通し部を設け、後端に靴紐固定部を設ける、この本体を登山靴のベロに靴紐で装着して使用する登山靴用補助具です。
【発明の効果】
【０００５】従来登山は、足が痛くなることが当たり前で、痛いのを我慢していた。本体を装着し従来のように登山した場合、本体の弾力効果により、靴が前に押し出され、つま先と甲にかかる力が分散し、つま先と甲の痛みが、著しく軽減します。長時間の山行では、足がむくむ為、靴紐で足の甲が痛くなるのも、本体が靴紐の力を受け止める為足の甲の痛みも軽減します。
【図面の簡単な説明】
【０００６】
【図１】  本発明の本体部の斜視図
【図２】  本発明の取り付け状態を示す装着斜視図
【発明を実施するための形態】
【０００７】以下、本発明の実施の形態を説明する。
弾力のある材料を足の甲に近い弓形形状にし、本体先端付近に複数の靴紐通し部を設け、後端に靴紐固定部を設ける。
本発明は以上のような構造である。
本発明品を使用するときは、登山靴のベロに本体の先端複数の靴紐通し部が靴のつま先の方になるように、本体を装着し使用する登山靴用補助具。
【符号の説明】
【０００８】１  本体
２  靴紐固定部
３  靴紐通し部
４  先端部
５  ベロ
６  靴紐
７  登山靴
８  靴紐通し穴
【図１】
2011078723.tif 000003
【図２】
2011078723.tif 000004
(57)【要約】【課題】風による洗濯物の片寄りを防止するため、螺旋コイルからなる補助具を使用し、ハンガーで洗濯物を吊るした場合、ハンガーが固定されないため、ハンガーが物干し竿と平行になり洗濯物どうしが密着する。【解決手段】円形のリングを複数枚接続し、蛇腹状のものを製作して、その接続部にハンガーを掛けることにより、ハンガーが風により物干し竿と平行にならず直交に保つことができ、洗濯物の密着を防止することができる。【選択図】図１
2011078727.tif 000002
【特許請求の範囲】
【請求項１】
本発明は、物干し竿の直径より大きい円形の弾性リング（１）を使用し、リングの水平方向二箇所、垂直方向二箇所を交互に接続して、蛇腹（２）を製作する。
製作した蛇腹（２）を物干し竿（３）に挿入し、蛇腹（２）を物干し竿に沿って引き伸ばして固定する。引き伸ばされた円形リングの接続箇所にハンガーを掛けることを可能とした物干し補助具である。
【発明の詳細な説明】
【技術分野】
【０００１】本発明は、ハンガー等に掛けた洗濯物を物干し竿に干した際、洗濯物が風の影響で移動、飛散落下することを防止する、物干し竿に通して使用する補助具に関するものである。
【背景技術】
【０００２】従来の物干し竿では、風が吹いた時に、ハンガーの位置がずれるのを防止するために、物干し竿にハンガーを固定する突起を取り付けたり、物干し竿に弾性コイル状からなる円形コイルを物干し竿に通し、通したコイル部にハンガーで洗濯物を吊り下げたりする物干し補助具があった。
【発明の開示】
【発明が解決しようとする課題】
【０００３】そのために、次のような問題点があった。
（イ）．弾性コイル状からなるコイル部にハンガーで洗濯物を吊るした場合、ハンガーが固定されないため、ハンガーが物干し竿と平行になり洗濯物どうしが密着する。
（ロ）．洗濯物どうしが密着するため、洗濯物どうしの間隔を広くする必要がある。
本発明は、これらの問題点を解決するためなされたものである。
【課題を解決するための手段】
【０００４】上記課題を解決するために、本発明は次のような構成を有する。
そこで本発明は、物干し竿の直径より大きい円形の弾性リング（１）を使用し、リングの水平方向二箇所、垂直方向二箇所を交互に接続して蛇腹（５）を製作する。
製作した蛇腹（５）を物干し竿（３）に挿入し、蛇腹（５）を物干し竿に沿って引き伸ばす。
それを洗濯ばさみで固定し、円形リングの接続箇所にハンガー（４）を掛けることを可能とした物干し補助具（２）である。
【発明の効果】
【０００５】（イ）．本発明は円形の弾性リング（１）を複数接続し、蛇腹（５）にしたものを使用することにより、ハンガー（４）が風により物干し竿と平行にならず直交に保つことができ、洗濯物が密着しあう状況を回避する。よって、乾燥効率を向上させることができる。
（ロ）．洗濯物の乾燥状態に合わせて蛇腹（５）を広げることにより調整することができる。
（ハ）．洗濯物を取り込む際、蛇腹（５）を寄せることにより一度に素早く取り込むことができる。
【発明を実施するための形態】
【０００６】本発明の実施形態について図面を参照して説明する。
円形の弾性リング（１）を水平方向二箇所、垂直方向二箇所を交互に接続し蛇腹状の物干し補助具を製作する。その際、円形のリングを接続する方法についての断面図を示す。
＜第１の実施形態＞図４は本発明に係るハンガー吊り下げ補助具の第１の実施形態を示す。
円形リングに加工した樹脂板に水平方向二箇所、垂直方向二箇所に穴加工し、加工した円形リングどうしをハト目を使用して図４の様に接続する。
【０００７】＜第２の実施形態＞図５は本発明に係るハンガー吊り下げ補助具の第２の実施形態を示す。
円形リングに加工した樹脂板を水平方向二箇所、垂直方向二箇所を交互にスポット溶接で接着させ図５の様に接続する。
【０００８】＜第３の実施形態＞図６は本発明に係るハンガー吊り下げ補助具の第３の実施形態を示す。
円形リングを製作するに当たり、樹脂成型加工を使用して円形リングを製作する。
その際、円形リングを接続する箇所も含めて、樹脂型を製作する。
円形リングの止め箇所は、水平方向二箇所に凸部を垂直方向二箇所に凹部を加工する。この成型品を組み立て蛇腹状の物干し補助具を製作する。
【０００９】＜第４の実施形態＞図７は本発明に係るハンガー吊り下げ補助具の第４の実施形態を示す。
蛇腹状の物干し補助具（２）を製作するに当たり、樹脂型を使用して蛇腹を接続箇所を含めて一体的に製作する。
【００１０】本発明の、物干し補助具の製作に当たっては、樹脂板や樹脂成型加工での実施形態を示したが、金属、ゴム、発泡樹脂、それらの組み合わせ方法及び軟質、硬質素材で成型する方法がある。
その他、物干し補助具の色、形状、長さ等の詳細は限定しない。
【図面の簡単な説明】
【００１１】
【図１】本発明の使用状況を示した全体図
【図２】本発明の弾性リング正面図
【図３】本発明の弾性リングを接続した側面図
【図４】本発明の接続方法を示した断面図
【図５】本発明の接続方法を示した断面図
【図６】本発明の接続方法を示した断面図
【図７】本発明の接続方法を示した断面図
【符号の説明】
【００１２】１  円形弾性リング
２  物干し補助具
３  物干し竿
４  ハンガー
５  蛇腹
【図１】
2011078727.tif 000003
【図２】
2011078727.tif 000004
【図３】
2011078727.tif 000005
【図４】
2011078727.tif 000006
【図５】
2011078727.tif 000007
【図６】
2011078727.tif 000008
【図７】
2011078727.tif 000009
(57)【要約】【課題】  従来のパズルは繰り返しやゲーム性の乏しく目で見て色や形で組み合わせるものが多い。【解決手段】  本発明は計算しながら答を見つけ出し向かい合わせに並べていき形を完成させる。正三角形の同じ大きさのカード（１）の中心より３つの頂点へ線（２）を引き、３つの枠（３）に設け、それぞれの辺、枠内に３つの数式（４）か答え（５）を書く欄を設け、カード（１）を色分け、レベル別に分類しそれぞれを１組とし、正三角形数個からなる形を完成させることを特徴としたカード式トライアングル計算パズル具を提供する。【選択図】図１
2011078724.tif 000002
【特許請求の範囲】
【請求項１】
正三角形の同じ大きさのカード（１）の中心より３つの頂点へ線（２）を引き、３つの枠（３）に設け、それぞれの辺、枠内に３つの数式（４）か答え（５）を書く欄を設け、カード（１）を色分け、レベル別に分類し、それぞれ正三角形数個からなる形を完成させることを特徴としたカード式トライアングル計算パズル具。
【発明の詳細な説明】
【技術分野】
【０００１】  本発明は計算しながら答えを見つけ出し向かい合わせに並べていき形を作っていく正三角形カード式トライアングル計算パズル具で、表面と裏面で、それぞれの異なった両面計算パズルになっているため、正三角形数個からなる出来上がりの形が表と裏でそれぞれ異なり、数式ないし、答えが合うものを探し、三角ピースの辺を向かい合わせ完成させていくカード式トライアングル計算パズル具である。
【背景技術】
【０００２】  背景や文字、複雑な形状で組み立てるジグソーパズルや、両面パズルがあるのは知られている。
【発明の概要】
【発明が解決しようとする課題】
【０００３】  従来のパズルは、繰り返しやゲーム性に乏しく目で見て色や形で組み合わせることに重点を置いている。
【課題を解決するための手段】
【０００４】  正三角形の同じ大きさのカードを色分け、レベル別に分類しそれぞれを１組とし、正三角形数個からなる形を完成させる。
各カード正三角形の中心より３つの頂点へ３本の線を引き、３つの枠内辺に１つずつ計３つの数式ないし答えを表示したカードパズルで、それぞれの辺の数式にあった答えを探し、向かい合わせていくと正三角形数個からなる形ができあがる。
すべて同じ形であるため表Ｂ裏Ｂ両面で異なった形を作ることができる。
ゲーム性に富んだカードパズル具を提供できる。
【発明の効果】
【０００５】  正三角形の中には３つの計算式か答えが書かれているのでわかる問題から順に計算してあてはめていくことができる。
計算をしないとピースがはまらず、間違うと最後の形は完成しない。
正三角形すべて同じ形なので裏Ｂ表Ｂ両面で異なった形を作ることができる。
カード式なので持ち運びに優れカードゲーム感覚で競い合って多人数で遊ぶこともできる。
その場合は、人数分にピースを配り、順番に出していき早くなくなった人の勝ちである。
何度も何度も繰り返すことで数字に慣れ、計算が速くなり計算のトレーニングができるものである。
【図面の簡単な説明】
【０００６】
【図１】  本発明の説明図である
【図２】  本発明の組み立て方を示した説明図である。
【図３】  本発明の完成した状態を示した説明図である。
【発明を実施するための形態】
【０００７】  以下、本発明の実施の形態を説明する。
正三角形の同じ大きさのカード（１）の中心より３つの頂点へ線（２）を引き、３つの枠（３）に設け、それぞれの辺、枠内に３つの数式（４）か答え（５）を書く欄を設け、カード（１）を色分け、レベル別に分類し、それぞれを１組とし、正三角形数個からなる形を完成させることを特徴としたカード式トライアングル計算パズル具。
各カード正三角形の中心より３つの頂点へ３本の線を引き、３つの枠内辺に１つずつ計３つの数式ないし答えを表示したカードパズルで、それぞれの辺の数式にあった答えを探し、向かい合わせていくと正三角形数個からなる形ができあがる。
ゲーム性に富んだカードパズルを提供できる。
本発明の実施例を説明しながら使い方を説明する。
正三角形のカードに中心より３つの頂点へ３本の線を引き、枠内の辺に３つの計算式か答えを描く。
計算式の答えが書いてあるカードが見つかれば、式と答えを向かい合わせて置いていく。
１つの正三角のピースには３つの数式か答えが書いてあるので、計算しやすいものを選んで探していくことができる。
パズルの端（Ａ）の計算は答えがない。
足し算は足し算表面で１つの形を完成させ、裏を返し裏面で１つの形を完成させる。
足し算カードは裏と表にわけ、それぞれ表は難しい計算のパズル、裏は簡単な計算のパズルができるので個々のレベルに合わせてステップアップできる。
表面Ｂと裏面Ｂそれぞれ１組のパズルで両面異なった完成物を２つ作ることができる。Ｃと，Ｄも同様である。
たとえば、足し算難しい計算はリボンの形、裏を返し簡単な計算は花の形の完成ができる。
星の形、ピラミッド形、ロケット形、太陽形、など正三角形数個からなる１つの大きな形となる。三角ピースを増やしたり、減らしたりすることで多様の形もできる。
２人以上で行うときは、人数分にピースを配り順番を決めて順にピースを３つの計算の答えからみつけて組み合わせながらパズルを完成させる。
ない場合はパスできるがピースが速くなくなった人の勝ちである。
競い合うことで計算がより早くなり、ゲーム感覚で進めるにあたり楽しんで計算トレーニングができるようにした正三角形カード式計算パズル具である。
【符号の説明】
【０００８】１  カード
２  線
３  ３つの枠
４  数式
５  答え
Ａ  パズル端
Ｂ  １つのパズルグループ表面と裏面
Ｃ  １つのパズルグループ表面と裏面
Ｄ  １つのパズルグループ表面と裏面
【図１】
2011078724.tif 000003
【図２】
2011078724.tif 000004
【図３】
2011078724.tif 000005
(57)【要約】      （修正有）【課題】装着する事で殿部、大腿部、腹部等の筋肉を緊張させ、下半身の筋肉運動を促し且つＯ脚矯正や骨盤矯正をサポートする下半身用エクササイズベルトを提供する。【解決手段】膝上下それぞれ約１０ｃｍ〜１５ｃｍ程度の長さがある左右２個の巻き付け開放式筒状サポーターの両膝内側面を接着させ、一体化させ、膝両サイドにコイルばね５を内蔵し、左右巻き付け開放式筒状サポーター７、８それぞれの上部２点、下部２点に開放着脱用マジックテープ１、２、３、４を設け、両膝部分は穴を設けたことを特徴とした下半身用エクササイズベルト。【選択図】図１
2011078712.tif 000002
【特許請求の範囲】
【請求項１】
膝上下それぞれ約１０ｃｍ〜１５ｃｍ程度の長さがある左右２個の巻き付け開放式筒状サポーターの両膝内側面を接着させ、一体にした下半身用エクササイズベルト。
【請求項２】
両膝部分は、膝曲げ伸ばしがしやすいよう穴を設け、両膝サイドにコイルバネを内蔵した請求項１記載の下半身用エクササイズベルト。
【請求項３】
装着用時のズレ等を防止するため、左右巻き付け開放式筒状サポーターそれぞれの上部２点、下部２点に開放着脱用マジックテープを設けた請求項１記載、又は請求項２記載の下半身用エクササイズベルト。
【発明の詳細な説明】
【技術分野】
【０００１】  本発明は、両膝内側部分が互いに付く様または限りなく近づく様に両脚を固定することで、着用時、特に就寝着用時に、自動的に殿部、大腿部、腹部等の筋肉を緊張させ、下半身の筋肉運動を促す下半身用エクササイズベルトに関するものである。
【背景技術】
【０００２】  コストが安く、誰もが何処でも簡単に装着が可能で、Ｏ脚の根本原因を解決し美しい脚を作り出すＯ脚矯正用具が提案されていた。（特許文献１）
座位をとったり、寝ながら使用しても脚を楽に曲げることができるＯ脚矯正器具が提案されていた。（特許文献２）
日常生活に支障がないように着用でき、体に強制的な負担がかからないように発明した、Ｏ脚矯正トレーニング用具が提案されていた。（特許文献３）
【先行技術文献】
【０００３】
【特許文献１】  登録実用新案第３０９０３３１号公報
【特許文献２】  特許公開２０００−２２９０９４号公報
【特許文献３】  特許公開２００５−２６１９０７号公報
【発明の概要】
【発明が解決しようとする課題】
【０００４】  従来、Ｏ脚矯正や装着することで筋肉運動を促す等の目的のために使われる膝や両脚を固定するためのひもやベルトが、着用時、特に就寝着用時に、脚や体が動くことで、ずれてしまったり、外れたりすることが多く、途中で機能を果たさなくなることが多かった。
また、着用時に膝の曲げ伸ばしがしにくいために寝苦しいことが多かった。
本発明は、以上の問題点を解決するものである。
【課題を解決するための手段】
【０００５】  膝上下それぞれ約１０ｃｍ〜１５ｃｍ程度の長さがある左右２個の巻き付け開放式筒状サポーターの両膝内側面を接着させ、一体にした下半身用エクササイズベルト。
両膝部分は、膝曲げ伸ばしがしやすいよう穴を設け、両膝サイドにコイルバネを内蔵した下半身用エクササイズベルト。
装着用時のズレ等を防止するため、左右巻き付け開放式筒状サポータ夫々の上部２点、下部２点に開放着脱用マジックテープ（登録商標）を設けたエクササイズベルト。
以上の構成よりなる下半身用エクササイズベルト。
【発明の効果】
【０００６】  従来、Ｏ脚矯正や装着する事で筋肉運動を促す等の目的の為に使われる膝や両脚を固定するためのひもやベルトが、着用時、特に就寝着用時に、脚や体が動くことで、ずれてしまったり、外れたりすることが多く、途中で機能を果たさなくなることが多かった。
また、装着時に膝の曲げ伸ばしがしにくいために寝苦しいことがあったが、本発明により、脱用時まで本来期待できる筋肉運動効果を持続させ、また、膝曲げ伸ばしの不自由さによる寝苦しさも改善する。
さらには、Ｏ脚矯正、骨盤矯正、腰痛改善にも効果が期待できる。
【図面の簡単な説明】
【０００７】
【図１】  本発明の展開図である。
【図２】  本発明の正面図である。
【発明を実施するための形態】
【０００８】  以下、本発明の実施の形態を説明する。
（イ）左脚巻き付け開放式筒状サポーター（７）、右脚巻き付け開放式筒状サポーター（８）の両膝内側面１を接着させる。
（ロ）膝両サイドに左脚コイルバネ（５）、右脚コイルバネ（６）を内蔵する。
（ハ）左右脚サポーターそれぞれの上部２点、下部２点に左脚上方開放着脱用マジックテープ（１）、脚下方開放着脱用マジックテープ（２）、右脚上方開放着脱用マジックテープ（３）、右脚下方開放着脱用マジックテープ（４）を設ける。
（二）両膝部分（１０）は、穴の開いている構造にする。
使用方法
左脚上方開放着脱用マジックテープ（１）、左脚下方開放着脱用マジックテープ（２）、右脚上方開放着脱用マジックテープ（３）、右脚下方開放着脱用マジックテープ（４）を外し、マジックテープが上になる様ベルトを平らな場所に広げる。
両脚を夫々膝頭が上になる様、ベルトの上に置き、左脚上方開放着脱用マジックテープ（１）、左脚下方開放着脱用マジックテープ（２）、右脚上方開放着脱用マジックテープ（３）、右脚下方開放着脱用マジックテープ（４）を両脚の太さに合わせしっかりとめる。
【符号の説明】
【０００９】  １  左脚上方開放着脱用マジックテープ（登録商標）
２  左脚下方開放着脱用マジックテープ
３  右脚上方開放着脱用マジックテープ
４  右脚下方開放着脱用マジックテープ
５  左脚コイルバネ
６  右脚コイルバネ
７  左脚巻き付け開放式筒状サポーター
８  右脚巻き付け開放式筒状サポーター
９  両ひざ内側面
１０  ひざ
【図１】
2011078712.tif 000003
【図２】
2011078712.tif 000004
(57)【要約】【課題】  本発明は、乾燥させた複数の衣類を一度に取りはずすことができるハンガーを提供する。【解決手段】  長尺箱の横棒に複数の小穴を設け、複数の三角形状のハンガーの各上部先端に通し、各下部中央と、先端にピンを設け、各下部中央のピンを手と腕全体で、一度に押し上げ、各上部アームが下がり、一度に複数の衣類がハンガーから取りはずすことができることを特徴とした複数の衣類を一度に取りはずすことができるハンガー。【選択図】図１
2011078718.tif 000002
【特許請求の範囲】
【請求項１】
長尺箱の横棒に複数の小穴を設け、複数の三角形状のハンガーの各上部先端を、小穴に通し、各ハンガーの下部ピンを中央に設けた、複数の衣類を一度に取りはずすことができることが特徴の複数の衣類を一度に取りはずすことができるハンガー。
【発明の詳細な説明】
【技術分野】
【０００１】  本発明は、乾燥させた複数の衣類を一度に取りはずすことができるハンガーに関するものである。
【背景技術】
【０００２】  従来、複数の衣類を乾燥させた後、ハンガーから１枚ずつ取りはずしていた。
【先行技術文献】
【０００３】
【特許文献１】  実用新案登録第３０１２１３３号公報
【発明の概要】
【発明が解決しようとする課題】
【０００４】  従来の連なったハンガーから乾燥させた複数の衣類を取りはずそうとすると１枚ずつ取りはずし時間を要していた。
従来の連なったハンガーでは複数の衣類を一度に取りはずすことは不可能だった。
乾燥させた衣類をハンガーから一枚一枚取ることしかできなかった。
本発明は、以上の問題点を解決するためになされたものである。
本発明は、複数の衣類を一度にハンガーから取りはずすことを目的とする。
【課題を解決するための手段】
【０００５】（イ）各上部アーム（１）と各下部アーム（２）の先端に旋回動自在のピン（３）を設ける。
（ロ）ピン（３）は所用角度以上回動しない様、ストッパーを設ける。
（ハ）長尺箱の横棒（４）に複数の小穴（５）を設け、複数のハンガーの各上部端に通す。
以上の構成よりなる複数の衣類を一度に取りはずすことができるハンガーである。
【発明の効果】
【０００６】  従来不可能とされていた連なったハンガーによりなる複数の衣類を一度に取りはずすことを本発明により可能にした。
手と腕全体で複数の衣類を一度に取りはずすことができる。
【発明を実施するための最良の形態】
【０００７】  以下、本発明の実施の形態について説明する。
（イ）各上部アーム（１）と各下部アーム（２）の先端に旋回動自在のピン（３）を設ける。
（ロ）ピン（３）は所用角度以上回動しない様、ストッパーを設ける。
（ハ）長尺箱の横棒（４）に複数の小穴（５）を設け、複数のハンガーの各上部端に通す。
本発明は以上のような構成である。
長尺箱の横棒に複数の小穴を設け、複数の三角形状のハンガーの各上部先端に通し、各下部中央と、先端にピンを設け、各下部中央のピンを手と腕全体で、一度に押し上げ、各上部アームが下がり、一度に複数の衣類がハンガーから取りはずすことができるハンガーである。
本発明を使用するときは、複数の衣類を乾燥させた後、各ピン（３）を手と腕で押し上げ、各下部アーム（２）先端が上へあがり、各上部アーム（１）先端が下がり、全ての衣類が一度に取りはずすことができる。
【図面の簡単な説明】
【０００８】
【図１】  本発明の正面図である。
【図２】  本発明の使用状態を示した斜視図である。
【符号の説明】
【０００９】  １  上部アーム
２  下部アーム
３  ピン
４  長尺箱の横棒
５  小穴
【図１】
2011078718.tif 000003
【図２】
2011078718.tif 000004
(57)【要約】【課題】  本発明は、壁やテーブルなどに、杖を無造作に立てかけても、かなりの角度まで倒れないように工夫した倒れない杖を提供する。【解決手段】  杖において、杖の上部（１）と杖の下部（２）に分け、杖の上部（１）の表面を滑らない材質にしたことを特徴とした倒れない杖。【選択図】図１
2011078719.tif 000002
【特許請求の範囲】
【請求項１】
杖において、杖の上部（１）と杖の下部（２）に分け、杖の上部（１）の表面を滑らない材質にしたことを特徴とした倒れない杖。
【発明の詳細な説明】
【技術分野】
【０００１】  本発明は、壁やテーブルに、杖を無造作に立てかけても、かなりの角度まで倒れないように工夫した倒れない杖に関するものである。
【背景技術】
【０００２】  現存する杖は、立てかけるときかなり慎重にたてかけないと、すぐに倒れてしまったり、何とか立てかけても、ちょっとしたことですぐに倒れてしまう。
杖を使う必要のある足腰の不自由な人にとっては、無造作に立てかけられるものでないと意味を成さない。
倒れた杖を拾うこともとても大変なことであり、危険なことである。
杖の下部まで滑らない材質にすることで、壁だけでなく、低いテーブルや椅子などあらゆる場所に立てかけられるようになる。
杖の持ち手部分に表面が滑り止め機能を有する別体の持ち手カバーをつけることで倒れるのを防止する杖が提案されていた。（特許文献１）
【先行技術文献】
【０００３】
【特許文献１】  特開２００５−２３７８９３号公報
【発明の概要】
【発明が解決しようとする課題】
【０００４】  現存する杖は、材質そのものがとても滑りやすくできており、使用しているときには、特に不便はないが、いざ立てかけようとすると、滑って立てかけるまでにかなりの神経を使わないといけない。
また、せっかく立てかけてもちょっとしたことで倒れてしまう。
壁はもとより、テーブルやいすなど、接する部分が点の場合は、特に立てかけられない。
足腰の不自由な人が使う杖なのに、倒れた杖を拾うことはとても「大変」というよりは、「危険」である。
持ち手部分だけを滑らない材質にする技術に関しては、持ち手部分が当たるところでしか活用できない。
本発明は、以上の問題点を解決するものである。
【課題を解決するための手段】
【０００５】  杖において、杖の上部（１）と杖の下部（２）に分け、杖の上部（１）の表面を滑らない材質にしたことを特徴とした倒れない杖である。
【発明の効果】
【０００６】  この発明によって、かなり無造作に壁やテーブルなどに立てかけることができる。
特に、丸いテーブルなど、点でしか接点がない場所にでも簡単に立てかけられる。
さらに、相当角度をつけて立てかけても倒れない。
体の不自由な人でも簡単に無造作に扱っても大丈夫である。
杖の下部まで滑らない材質にすることで、座卓のような低いテーブルや、病院などの低い滑りやすい椅子などにも簡単に立てかけられて、倒れない。
【図面の簡単な説明】
【０００７】
【図１】  本発明の説明図である。
【図２】  本発明の断面図である。
【発明を実施するための形態】
【０００８】  図１の説明図において、杖の上部（１）、杖の下部（２）で、上部が滑らない材質にするところである。
図２の断面図において、斜線の部分が滑らない材質にするところである。
杖において、杖の上部（１）と杖の下部（２）に分け、杖の上部（１）の表面を滑らない材質にしたことを特徴とした倒れない杖である。
杖の表面を、車のダッシュボードなどに置いて小物の滑り止めとして使用するような滑らない材質や、シリコンゴムなどの滑らない材質で覆う。
構造上、杖本体そのものの表面を滑らない材質にする。
また、既存の杖にもつけられるよう、後付式のものにしても便利である。
持ち手部分から杖の下部まで滑らない材質にする。
また、後付式のものは、接着剤付きにし、はがれないようにする。
使用については、通常の杖よりかなり無造作にどんな場面でも立てかけることができる。
【符号の説明】
【０００９】    １  杖の上部
２  杖の下部
【図１】
2011078719.tif 000003
【図２】
2011078719.tif 000004